(57)【特許請求の範囲】
【請求項１】
下方向３０度へ圧縮空気を噴射するエアーノズルと、水平方向へ圧縮空気を送風するドライノズルを備え、且つサイズ変更を可能とする分割型エアーリングであって、該エアーリングが、圧縮された空気を噴射及び送風状態のまま、取り付けられた支柱の最上位置から最下位置へと移動することにより、人体に付着した水滴を除去し乾燥を促すことを特徴とするエアーリングシャワー。
【発明の詳細な説明】
【技術分野】
【０００１】
本発明は、人体の塵埃除去に係るクリーンルーム内に設置されるエアーシャワーの利用法に関する。
【背景技術】
【０００２】  現在エアーシャワーの利用法としてクリーンルーム内において圧縮空気をエアーノズルより噴射し人体に付着した塵埃を除去する装置が多数考案されている。例えば、特許文献１の場合クリーンルーム内にて人体の上部から下部へと順次に圧縮空気を噴射する方法として、ノズル形状をエアーナイフにより上部から下部へと移動する形態と、エアーノズルを多数備え制御装置により上部から下部へと順次開閉する形態とがある。
【先行技術文献】
【特許文献】
【０００３】
【特許文献１】特開２００８−２８１３２８号公報
【発明の概要】
【発明が解決しようとする課題】
【０００４】  本発明はエアーシャワーの利用法として、入浴後及びプール利用後等の濡れた人体に付着した水滴を除去し乾燥を促す装置を提供する事を目的とする。特許文献１においては設備費用が嵩み設置場所も条件が強いられる。又クリーンルームには出入り口が設けられる為圧縮空気の噴射は側方からのみとなる。その為人体に均等に圧縮空気の噴射を受ける為には人体を回転する必要も生ずる。【０００５】
そこで家庭での設置も考慮しコストパフォーマンスに優れる装置を提供するものでもある。
【課題を解決するための手段】
【０００６】
前記目的を達成する為、本発明によるエアーリングシャワーは、エアーリングの内側方向で且つ下方向約３０度の噴射角をもつエアーノズルを数箇所に備え、該エアーリングにコンプレッサー又は送風ファン等により圧縮空気を通気管を経由し送り込み、エアーリングの移動に用いる支柱内のレールを最上位置により最下位置へと移動する形態により水滴を除去し乾燥を促す事を可能とする。又通気管内に発熱帯を備え温風を利用する事により乾燥をより促すものとなる。
【０００７】
エアーノズルにより下方向へ噴射する為人体に付着した水滴を効率よく除去する形態であり、又下降速度を緩やかにする事により乾燥効果をより高めるものである。又下降手段は自重式とする事によりコストパフォーマンスにも優れるものとなる。
【発明の効果】
【０００８】
本発明による人体に付着した水滴除去と乾燥手段は、入浴後の拭き取り作業を簡素化し特に障害者や体の不自由な高齢者には利便性に優れるものである。又、温風や涼風を使い分ける事により、冬期の入浴後は温風により湯冷め防止となり夏期の入浴後は発汗を防ぐ為涼風での利用が効果的である。特にプール利用後の冷えた体の状態での温風利用は非常に快適である。
【０００９】
又エアーリングシャワーの利用により温泉旅館等でのバスタオルの利用をなくす事も可能であり、巨大プールにおいては脱衣ケージの利用時間の短縮につながり混雑の解消を促すものである。家庭においても児童の体を親が拭く必要もなく脱衣所の床が濡れる事もなく、特にバスタオルの利用をなくす事が洗濯においても大きな効果を得る事となる。
又、クリーンルームにての利用も可能であり非常に経済的である。
【図面の簡単な説明】
【００１０】
【図１】本発明によるエアーリングシャワーの正面図
【図２】本発明によるエアーリングシャワーの側面図
【図３】本発明によるエアーリングシャワーの通気管見取図
【図４】エアーリング標準サイズの平面図
【図５】エアーリング最大サイズの平面図
【図６】コントロールパネル
【図７】ノズル配置見取図
【図８】スライド型内管見取図
【図９】回転型内管見取図
【図１０】２本型エアーリング見取図
【図１１】エアーシリンダ利用時の見取図
【発明を実施するための形態】
【００１１】
本発明によるエアーリングシャワー本体の構造は送風機４から送られた圧縮空気が通気管３を経由しエアーリング１へ到達しエアーノズル２より噴射される。エアーノズル２による噴射方向はエアーリング１の内側方向であり、且つ下方向へ約３０度とする。仮に下方向へ４５度の噴射角の場合人体に対する風圧が減少し水滴の飛散効果が低下するものである。
【００１２】
支柱５は主に壁面に取り付け、又送風機４の設置箇所はケース１として隣室、ケース２としてエアーリングシャワーの最上部、ケース３として仮設型に適する支柱背面の最下部が考えられる。
【００１３】  エアーリング１の形状は円形状でも可能ではあるが、体形に適応しやすくする為左右対称となる分割可動型（図４参照）の形状とし、エアーリング１を開く事により（図５参照〉大柄な体形でも利用が容易となるサイズへと変更する事ができる。
【００１４】
まずエアーリングシャワー本体の第１の形態としてコストパフォーマンスを重視し、家庭用或いは簡易設置型を用途とする簡易タイプの構造を説明する。
【００１５】
エアーリング１の移動方法においては、支柱内に備えたレールを移動し降下時はエアーリング１に重りを設け自重にて降下する構造である。降下速度はエアーリング１のレール通過部分を摩擦により抵抗を持つ構造とし、その摩擦係数の大きさにより降下速度を設定する事ができる。
【００１６】    又エアーシリンダーを利用し降下速度を調節する方法もある。その一つとして例をあげると（図１１参照）この場合例えばエアーリング１はウェイトを含み約８００グラムの自重とし、エアーシリンダー内のウェイト１１を約２００グラムとする。エアーリング１はエアーシリンダーの下部に設けられた開口部の吸気量により降下速度が設定される為、開口部を可動式の蓋となるスライド板１３を移動する事により吸気量を調節する事ができエアーリング１の降下速度は任意の速度に設定可能となる。又手動にてエアーリング１を最上部へ移動する際エアー排気量が少ない為エアーシリンダー内のウェイト１１の降下速度が遅くワイヤー１２に弛みが生ずる。そこで排気専用の開口部を設け外側より排気弁を用いて塞ぐ事によりウェイト１１が降下する際には排気弁１４が開き排気量が増大する為ウェイト１１は速やかに降下しワイヤー１２の弛みが生ずる事もない。
【００１７】    次に始動と停止において説明をすると、始動時は支柱に備えたストッパー解除ボタン６を押す事によりストッパー機能が解除されエアーリング１が降下を始める。又ストッパー解除ボタン６の操作と連動した送風機４の作動によりエアーノズル２より圧縮空気が噴射される。稼動修了後エアーリング１が最下位置に到達すると同時にセンサーに依り送風機４が停止する。エアーリングシャワー利用後はエアーリング１を手動にて最上位置まで移動させる事によりストッパー機能が働きエアーリング１が固定される。又エアーリング１のサイズ変更も手動によるものである。この形状は浴室内に設置した場合でも入浴時に支障をきたすものではない。
【００１８】  次に通気管３の構造としては特に極度の高圧を要しない為ゴムやビニールのホース状のものでも可能で配管部分は一部露出又は全部露出の方法でもよい。又通気管３を支柱内に備える場合は、支柱の幅を広くし支柱内において通気管３の動きを制御する為の適度な重さを持つリール７（図３）が支柱壁面に備えたレールを利用し上下する構造とする。それによりエアーリング１の上下動によって生ずる通気管３の弛みを防ぐ事ができる。又カール形状のホースを利用する方法もある。
【００１９】
次に第２の形態として電動タイプの場合を説明すると、コストとしては非常にリスクの高いものであるが、体の不自由な方には便利であり病院や療養所において活用できるものである。又多くの利用者がある旅館の大浴場や銭湯、又プール等には利用価値が高いと言える。
【００２０】
電動式の場合駆動部と駆動伝達部によりエアーリング１を上下させエアーの吹き出しも降下と同時に作動し降下修了時には自動停止となる。利用後は再び最上位置にて準備状態となる。
【００２１】
温風供給方法としては例えば通気管３の末端、つまりエアーリング１の直前近傍の通気管３内に発熱体を２個備え、高温利用時には２個発熱、中温利用時には１個発熱、低温利用時には送風のみとなる構造とする。又は１個の発熱体の発熱量をコントロールする事により幅広く無段階にて温風を供給する事も可能である。
【００２２】
次に分割式エアーリング１について説明すると、利用者の体形に適合する為にはエアーリング１のサイズを変更する必要があり、センサーにより適合させる事も可能ではあるが特に高い精度を要するものではなく、最大と標準の２種類のサイズで対応する方法が適切と思われる。又危険防止の為エアーリング１にセンサーを備え体に触れた場合停止する機能とし、リセットボタンを操作する事により再起動もしくは再び準備状態へと戻る。
【００２３】
次にノズル形態及び送風状況について詳しく説明する。本発明によるエアーリングシャワーは水滴を除去すると同時に乾燥の効果もあり、その乾燥効果をより利用度の高い構造とする事ができる。その方法としてノズルを２種類備え、一方は水滴除去専用のエアーノズル２としもう一方を乾燥専用のドライノズル８とする。
【００２４】
エアーノズル２はコンプレッサーによる圧縮空気を噴射し風圧により水滴を飛散する形態に対し、ドライノズル８はノズルの開口部より送風し風量により乾燥する形態である。ドライノズル８の開口部の大きさは送風される空気量と送風時間により決定され、開口部の形状は丸形に依らず平形も効果的であり、又微小なる開口部を無数に設ける形状も考えられる。エアーの噴射方向及び送風方向はエアーノズル２が下方向約３０度に対しドライノズル８は水平方向となる。
【００２５】
これらは１本の通気管によって各々のノズルより同時に空気を噴射及び送風し利用目的に適合させる方法である。又、各々のノズルを使い分ける方法としてノズルの吹出口の切り替えを内管(図８)状の開口部を設け、内管をスライドさせる事により開口部を利用ノズルの位置に合わせエアーノズル２とドライノズル８を使い分ける事ができる。しかし風圧の状態により双方の効果が十分得られない場合は、減圧弁等の利用により２本の空気圧の異なる通気管３を利用したり、又送風機を２台備え１台をコンプレッサーによる圧縮空気にてエアーノズル２へ供給し他の１台をファンによりドライノズル８へ送風する手段も考えられる。当然エアーリング１を２本装備し１本はエアーノズル２専用、他の１本はドライノズル８専用とする手段もある(図１０参照)。
【００２６】
コントロールパネル９についてはそれぞれのスイッチにパイロットランプを備え作動状態を確認できる構造とする。速度とはエアーリング１の降下速度であり乾燥利用時は低速(遅スイッチ)が適切である。
【００２７】
第３の形態として前述にも触れた簡易設置型について説明すると、構造は第１の形態に準ずるものであるが相違点としては支柱を壁面に取り付けず独立形状の為ベースプレートを用いて設置する事となる。又送風機の設置箇所は支柱背面の下部が安定性においても適切である。その他においては大きく相違するものではない。
【００２８】
最後に頭髪の乾燥について考察を述べると、エアーリング１の降下速度を極度に遅くする方法や一時停止して頭髪の乾燥を十分行う方法、又頭髪専用の大型ノズルを上部に備える方法等が考えられるが、頭髪の乾燥においては風向きや風量・空気温度等個人により繊細さが求められる為本発明においては限定しないものとする。
【符号の説明】
【００２９】
１  エアーリング
２  エアーノズル
３  通気管
４  送風機
５  支柱
６  ストッパー解除ボタン(簡易タイプのみ)
７  リール
８  ドライノズル
９  コントロールパネル(電動タイプのみ)
１０  内管
１１  ウェイト
１２  ワイヤー
１３  スライド板
１４  排気弁
【図１】
0005688701.tif 000002
【図２】
0005688701.tif 000003
【図３】
0005688701.tif 000004
【図４】
0005688701.tif 000005
【図５】
0005688701.tif 000006
【図６】
0005688701.tif 000007
【図７】
0005688701.tif 000008
【図８】
0005688701.tif 000009
【図９】
0005688701.tif 000010
【図１０】
0005688701.tif 000011
【図１１】
0005688701.tif 000012